(57)【要約】【課題】本発明は店舗に設置された売上金入金機能を持つＡＴＭに関し，店主によるＡＴＭへの売上金入金が不可になる可能性を少なくすることを目的とする。【解決手段】紙幣収納ユニットの空き容量を検出する空き容量検出部と，売上予想値が設定される売上金予想値設定部と，取引待ち時に空き容量検出部が検出した空き容量が売上金予想値設定部の売上金予想値を越えるかを判別する空き容量チェック部と，入力されたカードを読取るカード処理部とを備える。空き容量チェック部により前記売上金予想値が前記紙幣収納ユニットの空き容量より少ないときに入金処理を実行可能とし，カードを入力した時，カード処理部によるカードの読取り結果からカードの所有者が店主であることを検出すると，通常入金取引か売上金入金取引の処理を可能とするよう構成する。【選択図】      図１
2005031773.tif 000002
【特許請求の範囲】
【請求項１】
店舗に設置された売上金入金機能を持つＡＴＭにおいて，
紙幣収納ユニットの空き容量を検出する空き容量検出部と，売上金予想値が設定される売上金予想値設定部と，
取引待ち時に前記空き容量検出部が検出した空き容量が前記売上金予想値設定部の前記売上金予想値を越えるかを判別する空き容量チェック部と，入力されたカードを読取るカード処理部とを備え，
前記空き容量チェック部により前記売上金予想値が前記紙幣収納ユニットの空き容量より少ないときに入金処理を実行可能とし，
カードを入力した時，前記カード処理部によるカードの読取り結果から前記カードの所有者が店主であることを検出すると，通常入金取引か売上金入金取引の処理を可能とすることを特徴とする売上金入金機能を持つＡＴＭ。
【請求項２】
請求項１において，
前記空き容量チェック部により前記売上金予想値が前記紙幣収納ユニットの空き容量を越えるときは入金取引だけを禁止し，その他の取引を実行できるよう制御することを特徴とする売上金入金機能を持つＡＴＭ。
【請求項３】
請求項１において，
前記売上金予想値が前記紙幣収納ユニットの空き容量を越えた時，他の取引を実行可能にし，この状態で残高照会の取引を指定してカードを入力して，前記カード処理部によるカードの読取り結果から前記カードの所有者が店主であることを検出すると，残高照会か売上金入金取引の何れかを選択可能とすることを特徴とする売上金入金機能を持つＡＴＭ。
【請求項４】
請求項１において，
前記売上金予想値設定部には店舗に設けられた各ＰＯＳ端末の売上データを集計した結果を設定することを特徴とする売上金入金機能を持つＡＴＭ。
【発明の詳細な説明】
【０００１】
【発明の属する技術分野】
本発明は売上金入金機能を持つＡＴＭ（Ａｕｔｏｍａｔｅｄ  Ｔｅｌｌｅｒｓ  Ｍａｃｈｉｎｅ）に関する。
【０００２】
近年，ＡＴＭはスーパーや，コンビニエンスストア等の各種の店舗に設置されるようになり，早朝から夜間までの長時間に渡って一般の利用者による入出金等のサービスを可能としている。
【０００３】
このようなＡＴＭでは，スーパーマーケット等の店舗の所有者または管理者による，売上金の入金が可能であり，それにより現金を店舗内の保管所（金庫）等に保管する代わりに，安全なＡＴＭに入金することが可能となっている。しかし，ＡＴＭ内の現金収納部が満杯になると入金取引が停止してしまうため，その改善が望まれている。
【０００４】
【従来の技術】
従来のＡＴＭにおいて，出金対象外の紙幣（例えば，２千円札や５千円札）を収納するカセットが満杯になると，出金対象の紙幣（１万円札，千円札）を収納するカセットが紙幣収納可能であっても，入金取引が停止されてしまう。また，出金対象の紙幣がカセットにおいてエンド（空）またはニアエンド（終了直前）になった場合に，これらの紙幣が補充されるまで出金取引を中止させるという問題を解決する技術が提案されている（特許文献１参照）。
【０００５】
その提案された技術によれば，入金された紙幣を出金用として利用する機能を持つ紙幣入出金機を備え，顧客の操作により入出金取引を行うＡＴＭにおいて，出金取引時に通常は出金対象外としている金種（２千円札や５千円札）の紙幣を収納しているカセットがフル（一杯）またはニアフルか調べて，フルまたはニアフルの場合，顧客が入力した支払い要求金額に対して出金対象外の金種の紙幣で支払うようにしている。これにより，出金対象としている金種（１万円札や千円札）のカセットがフルでない時に入金取引が停止となる事態を抑制することができる。
【０００６】
一方，ＡＴＭを設置した各種の店舗では，店主または店舗の管理者が閉店時や，任意の時間に売上金をＡＴＭに入金するようにしており，ＡＴＭの種類によっては売上金入金を特定の鍵で操作するか，特定の磁気カード（店主や店舗管理者であることを表すＩＤが記録されているカード）をＡＴＭに入力することで，売上金入金のための表示を行って売上金入金を可能にするようにしている。
【０００７】
【特許文献１】
特開２００２−１６３７０１号公報
【０００８】
【発明が解決しようとする課題】
上記の従来の技術によれば，店舗を運営する店主（店舗の管理人を含む）が，当該店舗に設置した売上金入金機能を持つＡＴＭに売上金を入金しようとしても，ＡＴＭの紙幣収納部がフルまたはエンド（空）になるとＡＴＭが取引停止となる。この場合，銀行またはＡＴＭ運営会社の係員がＡＴＭを設置した店舗に出動して，現金回収または補充処理を行わなければならなかった。しかし，夜間等の時間帯によっては銀行またはＡＴＭ運営会社の係員が即座に対応することはできないため，店舗内にＡＴＭを設けても売上金入金ができないという問題があった。
【０００９】
本発明は店舗に設置されたＡＴＭへ店主による売上金入金が不可になる可能性を少なくすることができる売上金入金機能を持つＡＴＭを提供することを目的とする。
【００１０】
【課題を解決するための手段】
図１は本発明の原理構成を示す。図中，１はＡＴＭ内の制御部，１０は取引待ち処理部，１０ａは空き容量チェック手段，１１は出金処理部，１２は入金処理部，１２ａはカードチェック手段，１３は残高照会処理部，１３ａはカードチェック手段，１４は売上金入金処理部，１５は売上金予想値設定部，１６は紙幣ユニット（図示省略）からの紙幣残量を検知するセンサからの入力である。
【００１１】
売上金予想値設定部１５には，当該店舗の現在の売上金の額が店舗に設置されたＰＯＳ（Ｐｏｉｎｔ  Ｏｆ  Ｓａｌｅｓ）  のような売上情報の管理システムがある場合は，そのシステムから現在の売上金（または増加分を加算した金額）を入力し，現在の売上金を設定できない場合は，過去の統計データから求めた売上金（例えば，同年，同月の同一週の同じ曜日の売上金）を設定する。
【００１２】
取引待ち処理部１０は，利用者による取引が行われてない時に実行され，空き容量チェック手段１０ａにより紙幣ユニット（出金用に使用する紙幣ユニット）の空き容量のチェックを行う。このチェックでは，紙幣残量のセンサ入力１６による紙幣残量を表す数値から，空き容量（入金可能な紙幣量）を検出し，その空き容量が売上金予想値設定部１５に設定された紙幣量（または金額）を越えるか（売上金予想値を入金可能か）否かを判別し，越えると空き容量ありとして入出金（その他の処理を含む）を許容し，越えない場合は空き容量なしとして入金処理を禁止し，出金及び残高照会及びその他の処理を許容する制御信号を発生する。空き容量ありの場合は，出金処理部１１，入金処理部１２，残高照会処理部１３の何れも駆動されて動作が可能となる。
【００１３】
空き容量チェック手段１０ａで設定された紙幣量を越えない（売上金予想値の金額の入金が不可）で，空き容量なしと判別されると，入金を禁止し（入金処理部１２を駆動せず），他の取引を行う出金処理部１１，残高照会処理部１３等を駆動する。空き容量なしと判別された場合，出金処理部１１は，出金限度額を通常より多い額に変更する（変更した出金限度額は画面に表示して利用者に知らせる）。また，通常の出金では使用しない金種の紙幣ユニット（またはカセット）がフル（またはニアフル）状態である場合は，その金種の紙幣に両替して出金する制御を行うようにして，紙幣ユニットの空き容量を増やすよう制御する。その後，取引待ち処理部１０が駆動すると，空き容量チェック手段１０ａのチェックで空き容量ありと判別されて入出金の取引が可能となり，入金処理，出金処理及び残高照会処理の何れでも動作可能となる。
【００１４】
店主が売上金の入金を行う場合，空き容量があると，ＡＴＭの取引種別を表示部（図示省略）に表示された取引選択画面において，「入金」を指定すると，カード入力を促す画面が表示され，カードを入力すると店主を表す番号であることが検出されると，売上金入金処理部１４が駆動されて売上金の入金が行われる。この場合，入金限度枚数を通常より増加することができ，入金先は店主入金口座となる。
【００１５】
店主が売上金の入金を行う場合，空き容量がないと「入金」の取引を指定できない。この場合，「残高照会」を指定すると，カード入力を促す画面が表示される。店主がカードを入力すると，カード番号が読み取って，店主を表す番号であることが検出されると，売上金入金処理部１４が起動され，店主が売上金の入金のための操作（暗証番号の入力等）をして，売上金の入金が紙幣ユニットがフルになる枚数だけ可能となる。
【００１６】
上記の説明では，空き容量チェック手段１０ａにおいて，空き容量なしと判定された場合に空き容量を増加するための制御を行うことができる。具体的には，一般の利用者が出金を行う場合，通常の出金取引では，１回の出金処理時に支払い可能な紙幣枚数（支払い限度額）が制限（例えば，１０枚）されるが，空き容量がない状態になると出金可能な紙幣枚数を増加させて（例えば，２０枚），紙幣の支払いを多くすることができ，これにより紙幣残量のセンサ入力１６で検出する空き容量を増加することが可能となる。
【００１７】
なお，ＡＴＭの紙幣ユニットが空になるとＡＴＭが休止となってしまうため，紙幣ユニットが空きに近づく（ニアエンドになる）と，出金取引を制限したり，通常は出金に使用しない金種の紙幣を出金時に使用する等の従来技術による制御を行う。
【００１８】
【発明の実施の形態】
図２は本発明が実施されるＡＴＭの外観図，図３はＡＴＭのブロック構成図である。
【００１９】
図２において，２は売上金入金機能を持つＡＴＭ，２ａはレシート出力部，２ｂはクーポン券発行部，２ｃはキャッシュカードの読み取りを行うカードリード部，２ｄは紙幣入出金部，２ｅは硬貨入出金部，２ｆは操作案内，取引種別，数値等の表示と項目の選択，暗証番号，金額等を入力する入力部を含む表示部・入力部，２ｇは係員キーである。
【００２０】
図３のＡＴＭのブロック構成において，２０は全体の制御をプログラムにより制御を行う主制御部，２１は銀行等のホストと通信回線により接続される通信制御部，２２はカードリード部（図２の２ｃに対応），２３はレシート印字部，２４はクーポン券発行部（図２の２ｂに対応），２５は紙幣残量を検知するセンサを含む紙幣入出金ユニット，２６は硬貨入出金ユニット，２７は顧客操作部，２７０は画面表示部，２７１はキー入力部，２８はセンサ検知部，２８０は係員キー，２８１は扉検知である。
【００２１】
本発明では図２，図３に示すＡＴＭを各種の店舗の中に設置し，一般の利用者による現金の入出金を可能にすると共に店主（店舗の管理者を含む）による売上金入金を効率的に行う。
【００２２】
図４は店舗設置のＡＴＭを含むシステム構成の例である。
【００２３】
この例では，店舗７０の中に複数のＰＯＳ端末７１が設けられ，各ＰＯＳ端末７１の販売データはリアルタイムで店舗（ＰＯＳ）サーバ７２に集められ，売上データベース（ＤＢ）７２０に格納される。一方，店舗７０内に設置されたＡＴＭ７６は，通信回線によりＡＴＭ運用センター７４と接続されて，ＡＴＭサーバ７５によりＡＴＭ７６及び他の各施設に設けられたＡＴＭ７８と共にオンラインでＡＴＭサーバ７５の制御の基に各種の取引の処理を実行する。ＡＴＭサーバ７５にはＡＴＭデータベース（ＤＢ）７５０と取引データベース（ＤＢ）７５１が設けられ，ＡＴＭ運用センター７４と連携する複数の銀行等のホスト７７と通信回線により接続されてオンラインで取引データがやりとりされる。
【００２４】
本発明では，売上金入金（紙幣の枚数）の予想機能を備え，その機能をＰＯＳ連携により実現する場合と統計データにより実現する場合があり，各場合について図５，図６を用いて説明する。
【００２５】
図５はＰＯＳ連携により取得した予想値を用いるフローチャートである。運用を開始すると，イベント・客待ちの状態となり（図５のＳ１），イベント（客による操作を含む）が発生すると，イベントをチェックし（同Ｓ２），ＰＯＳからのイベントではなくＡＴＭ利用者による取引キーの場合はそれぞれの各取引を行い（同Ｓ３），ＰＯＳからのイベントの場合，ＰＯＳより売上データの受信を行い，売上金入金枚数を更新する（同Ｓ４）。
【００２６】
この場合の売上データは，上記図４に示すシステム構成の例では，店舗７０の店舗（ＰＯＳ）サーバ７２の売上ＤＢ７２０に保持している売上金データ（金額だけでなく，金種別の枚数を含むことも可能）を，売上金入金前の一定時間（毎日ではなく一定日数毎の場合もある）にＡＴＭ運用センター７４に送信し，ＡＴＭ運用センター７４内で受け取る。この売上金のデータをＡＴＭ運用センター７４から，当該売上金データの送信元である店舗７０に設置されたＡＴＭ７６に送信することで，店舗７０のＡＴＭ７６は売上金データを取得することができる。
【００２７】
この売上金入金枚数は，ＡＴＭの制御部が保持するデータであり，前回のデータが今回のデータで更新される。次にＡＴＭの収納空き枚数をチェックする（図５のＳ５）。このチェックではＰＯＳから受信した売上金入金を収納できる空きがあるか否かの判別をし，入金可能な場合は全ての取扱モード可能のモードに変更し（図５のＳ６），売上金入金が不可能な場合は，入金を休止し，全金種の出金を多くする枚数制御モードに変更する（同Ｓ７）。
【００２８】
上記図５のステップＳ４の売上金データの受信とＳ５のＡＴＭの収納空き枚数チェックは，リアルタイムでＰＯＳ側で売上金のデータを更新する毎に常時行うか，決められた間隔をおいて定期通信で送られてくるかの何れかにより行われ，定期通信の場合はその間隔に応じて，収納枚数の空きに所定のマージンを加算する。マージンの加算値は前々回と前回の売上金入金の差額や時間差を用いて決めることができる。
【００２９】
図６はＰＯＳ連携せずに予想値を得る場合のフローチャートであり，上記図４に示すシステム構成において，ＡＴＭ運用センター７４から店舗の売上金のデータをその店舗に設置したＡＴＭ７６に通知する仕組みがない場合に相当する。
【００３０】
運用を開始すると，今日の売上入金予想枚数を取得し，セットする（図６のＳ１）。この場合の売上入金予想枚数は，過去の１年間に蓄積した売上入金のデータをテーブルとして保持して，去年の同月の同週，同曜日の売上入金データを取得し，それにマージンをかけた値を予想枚数とする。次にイベント・客待ちに移り（図６のＳ２），イベントが発生するとイベントチェックを行い（同Ｓ３），それが無効イベントの場合はステップＳ２に戻り，取引キーであって売上入金の場合は売上入金処理を行い（同Ｓ４），売上入金情報を蓄積（予想の基礎情報として）日時，枚数データをセーブして（同Ｓ５），ステップＳ７に移行する。イベントチェックで，売上入金以外の取引キーであった場合は，各取引処理を実行する（図６のＳ６）。この後，ＡＴＭの収納空き枚数をチェックする（図６のＳ７）。
【００３１】
この場合，チェックにより得られた収納空き枚数が上記運用開始時（図６のＳ１）に取得した入金予想枚数分を収納可能かを判別する。売上金入金可能な場合はすべての取扱モード可能に変更し（図６のＳ８），売上金入金が不可能の場合は，入金休止にすると共に，フル金種の出金を多くする枚数制御モードに変更する（同Ｓ９）。この中のフル金種の出金とは，例えば，１万円札の金種別の収納カセットでフル状態の場合，出金時にその金種の支払い限度額を増加するモードにして出金量を増やすことで，収納空き枚数を増加させる。また，千円札の収納カセットがフル状態の場合，支払（出金取引）時に，自動両替等を行い１万円札の代わりに千円札の払い出しを多くする。この後，ステップＳ２に戻り，最初は売上金入金の空きが無かった状態でも，その後売上金入金を実行できる状態になる可能性が高くなる。
【００３２】
上記図５，図６におけるＡＴＭでの売上金の入金を行うための動作を図７〜図１０を用いて説明する。
【００３３】
図７はＡＴＭにおける取引のフローである。最初は利用客待ち（図５のＳ１，図６のＳ２のイベント・客待ちの状態）の状態でどの取引を選択したか判別する（図７のＳ１）。この時，図８に示す表示部（図２の２ｆ）に表示された取引選択の画面の例の中の，Ａ．に示すような画面が表示され，出金取引，入金取引，残高照会取引の３つが一般の利用者（店主を含む）に対して表示される。なお，係員キー（ＡＴＭを管理する担当者が図２の２ｇに入金するキー）を操作することで係員処理（図７のＳ５）を実行するよう選択することができる。但し，運用開始時の上記図５のＳ５及び図６のＳ７のＡＴＭ収納空き枚数チェックにおいて，売上金入金可能と判断された場合だけ，すべての取扱モードが可能になって，図８のＡ．の各取引の何れでも選択可能となる。
【００３４】
図８のＡ．に表示された各取引の中から利用者が一つを選択することにより，図７のＳ２〜Ｓ４に示す出金取引，入金取引，残高照会取引の各取引処理が実行される。
【００３５】
図７のＳ１において，入金取引を選択した場合のフローチャートを図９に示し，以下に説明する。
【００３６】
入金取引の処理が開始すると，利用者のカード挿入によりカードデータの読み取りが行われる（図９のＳ１）。カードの読み取りにより店主カードであるか判別し（図９のＳ２），店主カードでなければ通常の入金の操作であるステップＳ５以下の処理（後述する）が実行され，店主カードと判別されると売上金入金か通常の入金かを選択する画面を，図８のＢ．に示すように表示されて何れの処理が選択されるか判別する（図９のＳ３）。ここで，店主が売上金入金の処理を選択すると，入金限度額を通常の入金処理の場合の入金限度額より大幅にアップし（図９のＳ４），通常の入金処理を選択すると入金限度額は変更せずにステップＳ５に移行して，紙幣挿入／計数を実行する。続いて入金金額の確認（計数した紙幣枚数を表示して確認ボタンを操作）を行われると（図９のＳ６），センターと交信する（同Ｓ７）。このセンターは，上記図４のシステム構成では，ＡＴＭ運用センター７４に相当するか，またはＡＴＭ運用センター７４を中継センターとして銀行等のホスト７７と交信する。この交信で，上記計数，確認した入金金額が入金可能か判別し（図９のＳ８），可能でない場合は紙幣を計数して，返却処理を行い（同Ｓ９），入金可能な場合は，レシート印字・発行を行って（同Ｓ１０），取引処理をここで終了する（同Ｓ１１）。この後，ＡＴＭ内部の管理処理であり，紙幣を所定の収納部に収納し（図９のＳ１２），現金カウンタを更新して（同Ｓ１３），処理を終了する。
【００３７】
運用開始時の上記図５のＳ５及び図６のＳ７のＡＴＭ収納空き枚数チェックにおいて，売上金入金不可能と判断されて，入金取引が禁止になると，一般利用者による入金だけでなく店主による売上金入金もできなくなる。その場合，残高照会を行うことで売上金入金を可能にする取引フローを図１０に示す。
【００３８】
残高照会取引が選択されると，カード挿入，カードデータの読み取りが行われ（図１０のＳ１），続いて暗証入力が行われ（同Ｓ２），そのカードが店主を表す番号であるかにより，店主カードか否かを判別する（同Ｓ３）。店主カードである場合，売上金入金を選択できる画面を表示して，店主が何れの取引を選択するか判別する（図１０のＳ４）。
【００３９】
図８のＣ．にこの場合に表示される画面の例を示す。すなわち，「売上入金を実施しますか」という表題のしたに「売上入金」と「残高照会」の２つの取引処理を表示して，その何れかを選択可能としている。
【００４０】
ここで，売上入金が選択されると，上記図９のステップＳ４と同様の入金限度アップをし（図１０のＳ５），続いて紙幣挿入／計数（同Ｓ６）を行い，以下上記図９のＳ６〜Ｓ１３と同様の売上金入金の処理フローである図１０のＳ７〜Ｓ１４の処理が実行されて処理終了となる。また，上記図１０のステップＳ３において店主カードでないと判別されるか，ステップＳ４において残高照会が選択されると，当該利用のカードの番号に対応する口座の残高照会のためにセンター交信を行い（図１０のＳ１５），得られた残高データをレシート印字し（同Ｓ１６），レシート・カードの返却処理を行い（同Ｓ１７），処理を終了する。
【００４１】
なお，ＡＴＭの紙幣ユニットが，▲１▼ニアエンドになると出金最大枚数を減らし，次に▲２▼エンドになると，使用しない金種の出金をし，▲３▼出金取引を禁止し，入金と残高照会で装置を動かすという制御を行う。
【００４２】
（付記１）  店舗に設置された売上金入金機能を持つＡＴＭにおいて，紙幣収納ユニットの空き容量を検出する空き容量検出部と，売上金予想値が設定される売上金予想値設定部と，取引待ち時に前記空き容量検出部が検出した空き容量が前記売上金予想値設定部の前記売上金予想値を越えるかを判別する空き容量チェック部と，入力されたカードを読取るカード処理部とを備え，前記空き容量チェック部により前記売上金予想値が前記紙幣収納ユニットの空き容量より少ないときに入金処理を実行可能とし，カードを入力した時，前記カード処理部によるカードの読取り結果から前記カードの所有者が店主であることを検出すると，通常入金取引か売上金入金取引の処理を可能とすることを特徴とする売上金入金機能を持つＡＴＭ。
【００４３】
（付記２）  付記１において，前記空き容量チェック部により前記売上金予想値が前記紙幣収納ユニットの空き容量を越えるときは入金取引だけを禁止し，その他の取引を実行できるよう制御することを特徴とする売上金入金機能を持つＡＴＭ。
【００４４】
（付記３）  付記１において，前記売上金予想値が前記紙幣収納ユニットの空き容量を越えた時，他の取引を実行可能にし，この状態で残高照会の取引を指定してカードを入力して，前記カード処理部によるカードの読取り結果から前記カードの所有者が店主であることを検出すると，残高照会か売上金入金取引の何れかを選択可能とすることを特徴とする売上金入金機能を持つＡＴＭ。
【００４５】
（付記４）  付記１または付記３の何れかにおいて，売上金入金取引が選択されると，通常の入金取引の限度額を越えた金額を入金可能にすることを特徴とする売上金入金機能を持つＡＴＭ。
【００４６】
（付記５）  付記１において，前記売上金予想値設定部には店舗に設けられた各ＰＯＳ端末の売上データを集計した結果を設定することを特徴とする売上金入金機能を持つＡＴＭ。
【００４７】
（付記６）  付記１において，前記売上金予想値設定部には，予め当該店舗における売上金の統計データを参照して，現在と同じ条件に対応する売上金を設定することを特徴とする売上金入金機能を持つＡＴＭ。
【００４８】
【発明の効果】
本発明によればＡＴＭの装置内の紙幣容量を管理し，売上金の入金を常に実行可能とすることができる。
【００４９】
また，ＡＴＭの入金限度枚数，売上金限度枚数を別々に制御することで，ＡＴＭの紙幣ユニットの紙幣フルでの休止を減らすことが可能となる。また，休止解除のための係員による紙幣の回収（フル状態を解消するため），紙幣の補充処理（紙幣が無い状態を解消するため）を行う回数を削減することができる。
【図面の簡単な説明】
【図１】本発明の原理構成を示す図である。
【図２】本発明が実施されるＡＴＭの外観図である。
【図３】ＡＴＭのブロック構成図である。
【図４】店舗設置のＡＴＭを含むシステム構成を示す図である。
【図５】ＰＯＳ連携により取得した予想値を用いるフローチャートを示す図である。
【図６】ＰＯＳ連携せずに予想値を得る場合のフローチャートを示す図である。
【図７】ＡＴＭにおける取引のフローを示す図である。
【図８】表示部に表示された取引選択の画面の例を示す図である。
【図９】入金取引を選択した場合のフローチャートを示す図である。
【図１０】残高照会を行うことで売上金入金を可能にする取引フローを示す図である。
【符号の説明】
１        ＡＴＭの制御部
１０      取引待ち処理部
１０ａ    空き容量チェック手段
１１      出金処理部
１２      入金処理部
１２ａ    カードチェック手段
１３      残高照会処理部
１３ａ    カードチェック手段
１４      売上金入金処理部
１５      売上金予想値設定部
１６      紙幣残量のセンサ入力
【図１】
2005031773.tif 000003
【図２】
2005031773.tif 000004
【図３】
2005031773.tif 000005
【図４】
2005031773.tif 000006
【図５】
2005031773.tif 000007
【図６】
2005031773.tif 000008
【図７】
2005031773.tif 000009
【図８】
2005031773.tif 000010
【図９】
2005031773.tif 000011
【図１０】
2005031773.tif 000012